(57)【特許請求の範囲】
【請求項１】
免震ビル等の建物の外壁面と目地部を介して境界線近傍等に設けられたよう壁の目地部側の上面に反目地部側が傾斜面に形成された支持凹部と、この支持凹部に一端部が支持され、他端部が前記建物の外壁面寄りの部位に位置する支持目地プレートと、この支持目地プレートの他端部寄りの部位に上部が枢支され、下部が前記よう壁の目地部側の下部位置に枢支された、該支持目地プレートの一端部が前記支持凹部より脱落することなく、かつ支持凹部よりよう壁の上面への移動が可能に支持する支持目地プレート支持体と、前記支持目地プレートにスライド移動可能に支持される一端部が、該支持目地プレートの一端部とほぼ同じ位置に位置し、他端部が前記建物の外壁面に上下移動可能に取付けられた目地プレートとからなることを特徴とする床用目地装置。
【請求項２】
免震ビル等の建物の外壁面と目地部を介して境界線近傍等に設けられたよう壁の目地部側の上面に反目地部側が傾斜面に形成された支持凹部と、この支持凹部に一端部が支持され、他端部が前記建物の外壁面寄りの部位に位置する、該支持凹部の深さ寸法よりも小さな厚さ寸法の支持目地プレートと、この支持目地プレートの他端部寄りの部位に上部が枢支され、下部が前記よう壁の目地部側の下部位置に枢支された、該支持目地プレートの一端部が前記支持凹部より脱落することなく、かつ支持凹部よりよう壁の上面へ移動が可能に支持する支持目地プレート支持体と、前記支持目地プレートにスライド移動可能に支持される一端部が前記支持凹部の傾斜面に当接するように位置し、他端部が前記建物の外壁面に上下移動可能に取付けられた上面がほぼ前記よう壁の上面と同一面となる目地プレートとからなることを特徴とする床用目地装置。
【発明の詳細な説明】
【技術分野】
【０００１】
本発明は免震ビル等の建物の外壁面と他人の土地の境界線近傍に設けられたよう壁との間の目地部を覆う床用目地装置に関する。
【背景技術】
【０００２】
従来、この種の免震ビル等の建物の外壁面の外周部に目地部を形成して、建物の揺れ動きを目地部で吸収するため、建物の外壁面に目地部の開口部を覆う庇、あるいは目地プレートが設けられている。
【０００３】
このような庇あるいは目地プレートは、免震ビル等の建物の外壁面に固定的に取付けられているため、他人の土地の境界線との間が狭い場合、５００ミリ前後移動可能な免震ビル等の建物にあっては、庇の先端部が境界線を越えてしまうという欠点があった。
【特許文献１】特開２００４−１８３４０４
【発明の開示】
【発明が解決しようとする課題】
【０００４】
本発明は以上のような従来の欠点に鑑み、境界線と接していても、地震等によって揺れ動いても、目地部を覆う目地プレートが境界線を越えて突出するのを確実に阻止することができるとともに、目地部が広くなる揺れ動きが生じても、目地部が開口することなく安全に使用することができ、かつ揺れ動きが停止すると自動的に元の状態に戻って、メンテナンスが不要で使用できる床用目地装置を  提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は免震ビル等の建物の外壁面と目地部を介して境界線近傍等に設けられたよう壁の目地部側の上面に反目地部側が傾斜面に形成された支持凹部と、この支持凹部に一端部が支持され、他端部が前記建物の外壁面寄りの部位に位置する支持目地プレートと、この支持目地プレートの他端部寄りの部位に上部が枢支され、下部が前記よう壁の目地部側の下部位置に枢支された、該支持目地プレートの一端部が前記支持凹部より脱落することなく、かつ支持凹部よりよう壁の上面への移動が可能に支持する支持目地プレート支持体と、前記支持目地プレートにスライド移動可能に支持される一端部が、該支持目地プレートの一端部とほぼ同じ位置に位置し、他端部が前記建物の外壁面に上下移動可能に取付けられた目地プレートとで床用目地装置を構成している。
【発明の効果】
【０００７】
以上の説明から明らかなように、本発明にあっては次に列挙する効果が得られる。
【０００８】
（１）免震ビル等の建物の外壁面と目地部を介して境界線近傍等に設けられたよう壁の目地部側の上面に反目地部側が傾斜面に形成された支持凹部と、この支持凹部に一端部が支持され、他端部が前記建物の外壁面寄りの部位に位置する支持目地プレートと、この支持目地プレートの他端部寄りの部位に上部が枢支され、下部が前記よう壁の目地部側の下部位置に枢支された、該支持目地プレートの一端部が前記支持凹部より脱落することなく、かつ支持凹部よりよう壁の上面への移動が可能に支持する支持目地プレート支持体と、前記支持目地プレートにスライド移動可能に支持される一端部が、該支持目地プレートの一端部とほぼ同じ位置に位置し、他端部が前記建物の外壁面に上下移動可能に取付けられた目地プレートとで構成されているので、支持目地プレートにスライド移動可能に取付けられた目地プレートによって、境界線と建物の外壁面との間の寸法の半分の寸法を目地部の寸法とすることにより、境界線より突出することなく、目地部の寸法が倍に広がる揺れ動きを、支持目地プレートと目地プレートとで隙間が生じることなく吸収することができる。
したがって、安全に使用することができる。
【０００９】
（２）前記（１）によって、支持目地プレートは支持目地プレート支持体に支持されているので、該支持目地プレートに荷重が加わっても十分に支持することができるとともに、支持目地プレートにスライド移動可能に支持された目地プレートに荷重が加わっても、十分に支持できる。
したがって、目地プレート上を安全に歩くことができる。
【００１０】
（３）前記（１）によって、構造が簡単であるので、容易に取付けることができる。
【００１１】
（４）請求項２も前記（１）〜（３）と同様な効果が得られるとともに、よう壁の上面と目地プレートの上面とがほぼ同一面となり、段差のない床面にでき、より安全に歩くことができる。
【発明を実施するための最良の形態】
【００１２】
以下、図面に示す本発明を実施するための最良の形態により、本発明を詳細に説明する。
【００１３】
図１ないし図７に示す本発明を実施するための最良の第１の形態において、１は本発明の床用目地装置で、この床用目地装置１は免震ビル等の建物２の外壁面３と境界線４との間の外壁面３側にほぼ半分の寸法の目地部５を介して境界線４側に設けられたよう壁６と、このよう壁６の目地部側の上面に反目地部側が傾斜面７に形成された支持凹部８と、この支持凹部８に傾斜面９に形成された一端部が支持され、他端部が前記建物２の外壁面寄りの部位に位置する、該支持凹部８の深さ寸法よりも小さいほぼ半分の寸法の厚さの支持目地プレート１０と、この支持目地プレート１０の他端部寄りの部位の底面に上部が枢支金具１１、１１で枢支され、下部が前記よう壁６の目地部側の下部位置に枢支金具１２、１２で枢支された、該支持目地プレート１０の一端部が前記支持凹部８より脱落することなく、かつ支持凹部８よりよう壁６の上面への移動が可能に支持する支持目地プレート支持体１３と、前記支持目地プレート１０にスライド移動可能に支持される一端部が前記支持凹部８の傾斜面７に当接し、他端部が前記建物２の外壁面３に固定された支持具１４に上下移動可能に取付けられた上面が前記よう壁６の上面とほぼ同一面の底面に支持目地プレート収納凹部１５を有する目地プレート１６とで構成されている。
【００１４】
前記支持目地プレート支持体１３は長方形状の枠状に形成された支持フレーム１７と、この支持フレーム１７の上部寄りの部位に一端部が取付けられ、他端部が前記よう壁６の目地部側の上部寄りの部位に取付けられたワイヤ、ロープ、チェーン、リンク等の該支持フレーム１７のよう壁６方向の回動が可能で、前記支持目地プレート１０の先端部が前記支持凹部８より脱落しないように、その移動を阻止する移動阻止部材１８と、地震等の揺れ動きによって目地部５が狭くなつた後で元の状態に戻る時に前記支持フレーム１７を外壁面３側に引き戻すための引きバネ３７、ワイヤ３８、ローラ３９、ローラ４０からなる引き寄せ具４１とで構成されている。
【００１５】
前記支持具１４は前記建物２の外壁面３に複数本のビス１９等で固定されたアングル材を用いた支持具本体２０と、この支持具本体２０に形成された複数個の貫通孔２１、２１を貫通し、上部が前記目地プレート１６の他端部の底面に固定され、下部に貫通孔２１、２１の通過を阻止するストッパ２２、２２が形成された支持ピン２３、２３とで構成されている。
【００１６】
上記構成の床用目地装置１は、通常時には図２に示すようによう壁６の支持凹部８の傾斜面７に当接、あるいはわずかな隙間を有する状態で支持目地プレート１０および目地プレート１６が位置し、よう壁６の上面と目地プレート１６の上面とがほぼ同一面となっていて、その上を人が歩くことができる。
【００１７】
地震等の揺れ動きによって目地部５が広くなると、図６に示すように支持目地プレート１０の一端部は支持凹部８に支持された状態となるように阻止部材１８で阻止するため、建物２方向へ移動しない。このため、上部の目地プレート１６が支持目地プレート１０上をスライド移動して、目地部５に隙間が生じないように覆った状態を保って、その揺れ動きを吸収する。目地部５が狭くなると、図７に示すように支持目地プレート１０および目地プレート１６が支持凹部８の傾斜面７によって上方へ移動しながら、先端部が境界線方向へ移動する。この時、目地プレート１６の他端部は支持目地プレート１０の上方への移動によって上方へ移動して、ほぼ水平状態となって移動する。
なお、地震等の揺れ動きが停止すると、自動的に元の状態へ戻る。
[発明を実施するための異なる形態]
【００１８】
次に、図８ないし図１７に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１９】
図８ないし図１０に示す本発明を実施するための第２の形態において、前記本発明を実施するための最良の第１の形態と主に異なる点は、一対の支持アーム２４、２４を用いた支持目地プレート支持体１３Ａと、建物２の外壁面３に形成した目地プレート１６の他端部を支持する目地プレート支持部２５と、下端部が一対の支持アーム２４、２４の中央部寄りの部位に枢支ピン２６、２６で枢支され、上端部が前記目地プレート支持部２５の目地部側壁面３ａに当接する一対のアーム２７、２７、この一対のアーム２７、２７の上端部に下端部が枢支ピン２８、２８で枢支され、上端部に長孔２９、２９が形成された押し上げリンク３０、３０、この押し上げリンク３０、３０の長孔２９、２９を通過して支持目地プレート１０の底面に下方へ突出する取付け片３１、３１に取付けられた支持ピン３２、３２、前記押し上げリンク３０、３０の上端部によって目地部が狭くなると目地プレート１６が支持凹部８の深さ寸法分だけ上方へ押し上げられるように目地プレート１６の底面に形成された当接部３３、３３とからなる目地プレート押し上げ機構３４と、支持フレーム１７を外壁面３側に引き戻すためによう壁６に設けた凹部４２と押し圧バネ４３を用いた点で、このように形成した床用目地装置１Ａにしても前記本発明を実施するための最良の第１の形態と同様な作用効果が得られる。
【００２０】
図１１ないし図１３に示す本発明を実施するための第３の形態において、前記本発明を実施するための最良の第１の形態と主に異なる点は、底面が平坦な目地プレート１６Ａを建物２の外壁面３に形成した目地プレート支持部２５で支持するとともに、支持目地プレート１０の他端部を目地プレート支持部２５の外壁面３ａで目地部が狭くなると押し圧できるようにし、支持フレーム１７を外壁面３側に引き戻すためによう壁６に設けた凹部４２と押し圧バネ４３を用いた点で、このように構成した床用目地装置１Ｂにしても、前記本発明を実施するための最良の第１の形態と同様な作用効果が得られる。
【００２１】
図１４ないし図１７に示す本発明を実施するための第４の形態において、前記本発明を実施するための最良の第１の形態と主に異なる点は、一端部の底面に下方へ突出するストッパ兼用の突片３５を設けた支持目地プレート１０Ａを用いるとともに、該突片３５が収納される凹部３６が形成された支持凹部８Ａを用いて、支持目地プレート１０Ａが目地部が広くなっても支持凹部８Ａより脱落するのを阻止した点で、このように構成した床用目地装置１Ｃにしても、前記本発明を実施するための最良の第１の形態と同様な作用効果が得られる。
【００２２】
なお、最良の第１の形態と第４の形態で、地震等の揺れ動きによって目地部５が狭くなつた後に支持フレーム１７を外壁面３側に引き戻すために引き寄せ具４１を用いたが、これに代えてよう壁６に設けた凹部４２と押し圧バネ４３を用いても良い。
【産業上の利用可能性】
【００２３】
本発明は床用目地装置を製造する産業で利用される。
【図面の簡単な説明】
【００２４】
【図１】本発明を実施するための最良の第１の形態の平面図。
【図２】図１の２−２線に沿う断面図。
【図３】図１の３−３線に沿う断面図。
【図４】図１の４−４線に沿う断面図。
【図５】本発明を実施するための最良の第１の形態の目地プレートの説明図。
【図６】本発明を実施するための最良の第１の形態の目地部が広くなった動作説明図。
【図７】本発明を実施するための最良の第１の形態の目地部が狭くなった動作説明図。
【図８】本発明を実施するための第２の形態の平面図。
【図９】図８の９−９線に沿う断面図。
【図１０】本発明を実施するための第２の形態の目地部が狭くなった状態の動作説明図。
【図１１】本発明を実施するための第３の形態の平面図。
【図１２】図１１の１２−１２線に沿う断面図。
【図１３】本発明を実施するための第３の形態の目地部が狭くなった状態の説明図。
【図１４】本発明を実施するための第４の形態の平面図。
【図１５】図１４の１５−１５線に沿う断面図。
【図１６】本発明を実施するための第４の形態の目地部が狭くなった状態の説明図。
【図１７】本発明を実施するための第４の形態の目地部が広くなった状態の説明図。
【符号の説明】
【００２５】
１、１Ａ、１Ｂ、１Ｃ：床用目地装置、
２：建物、                    ３：外壁面、
４：境界線、                  ５：目地部、
６：よう壁、                  ７：傾斜面、
８、８Ａ：支持凹部、          ９：傾斜面、
１０、１０Ａ：支持目地プレート、
１１：枢支金具、              １２：枢支金具、
１３、１３Ａ：支持目地プレート支持体、
１４：支持具、                １５：支持目地プレート収納凹部、
１６、１６Ａ：目地プレート、  １７：支持フレーム、
１８：阻止部材、              １９：ビス、
２０：支持具本体、            ２１：貫通孔、
２２：ストッパ、              ２３：支持ピン、
２４：支持アーム、            ２５：目地プレート支持部、
２６：枢支ピン、              ２７：アーム、
２８：枢支ピン、              ２９：長孔、
３０：押し上げリンク、        ３１：取付け片、
３２：支持ピン、              ３３：当接部、
３４：目地プレート押し上げ機構、
３５：突片、                  ３６：凹部
３７：引きバネ、              ３８：ワイヤ、
３９：ローラ、                ４０：ローラ、
４１：引き寄せ具、            ４２：凹部、
４３：押し圧バネ。
【図１】
0004499033.tif 000002
【図２】
0004499033.tif 000003
【図３】
0004499033.tif 000004
【図４】
0004499033.tif 000005
【図５】
0004499033.tif 000006
【図６】
0004499033.tif 000007
【図７】
0004499033.tif 000008
【図８】
0004499033.tif 000009
【図９】
0004499033.tif 000010
【図１０】
0004499033.tif 000011
【図１１】
0004499033.tif 000012
【図１２】
0004499033.tif 000013
【図１３】
0004499033.tif 000014
【図１４】
0004499033.tif 000015
【図１５】
0004499033.tif 000016
【図１６】
0004499033.tif 000017
【図１７】
0004499033.tif 000018